(57)【要約】【課題】　両方向共用のバックライトアセンブリを提供する。【解決手段】　バックライトアセンブリは第１光入射面１２１、第１光入射面１２１に連結され段差を有する第１光反射面１２３ａ、１２３ｂ、第１光反射面と向き合う第１光射出面１２５を有する第１導光板１２０と、第１光入射面１２１と一致する第２光入射面１３１、前記第２光入射面１３１に連結され段差が形成された第１光反射面と向き合う第２光反射面、第２光反射面１３５と向き合う第２光射出面１３３を有する第２導光板と、段差が形成された第１導光板及び第２導光板間に形成されたギャップに介在する反射板１４０と、を有する。【選択図】　　　図５
2004119369.tif 000002
【特許請求の範囲】
【請求項１】
　光の入射を受けるための第１光入射面、前記第１光入射面に連結される第１光射出面、前記第１光入射面に連結され前記第１光射出面に対して第１厚さを有する第１光反射面部、前記第１光反射面部に前記第１厚さより薄い第２厚さで連結される第２光反射面部を有する第１光反射面を含む第１導光板と、
　前記第１導光板とオーバーラップされ、前記第１光入射面と一致し前記光の入射を受けるための第２光入射面、一部は前記第１光反射面部と密着されその他は前記第２光反射面部と前記第１厚さ及び第２厚さの差に相当するギャップを有して向き合う第２光反射面、及び第３厚さで前記第２光反射面と向き合うように、前記第２光入射面に連結された第２光射出面を有する第２導光板と、
　前記第２光反射面を覆うように前記第２光反射面及び前記第２光反射面部間に介在させられた反射板と、
　前記第１光入射面及び前記第２光入射面に前記光を供給する光源と、
　を含むことを特徴とするバックライトアセンブリ。
【請求項２】
　前記光源は冷陰極線管方式ランプまたは発光ダイオードであることを特徴とする請求項１に記載のバックライトアセンブリ。
【請求項３】
　前記第１導光板及び前記第２導光板は前記第１導光板の第１光射出面と、前記第２導光板の第２光射出面を露出させるための開口部を有する収納容器に収納されることを特徴とする請求項１に記載のバックライトアセンブリ。
【請求項４】
　前記第１導光板及び第２導光板は取付手段により取付けられることを特徴とする請求項１に記載のバックライトアセンブリ。
【請求項５】
　前記取付手段は両面接着テープ、接着剤及びクリップよりなるグループから選択されたいずれか一つ以上であることを特徴とする請求項４に記載のバックライトアセンブリ。
【請求項６】
　前記第１光反射面部と向き合う前記第２光反射面には１個以上の突起が形成され、前記第１光反射面部及び前記第２光反射面は熱または超音波により溶融された前記突起により取付けられることを特徴とする請求項４に記載のバックライトアセンブリ。
【請求項７】
　前記第１導光板の前記第１厚さは前記第２導光板の前記第３厚さ以下であることを特徴とする請求項１に記載のバックライトアセンブリ。
【請求項８】
　前記第２導光板の平面の面積は前記第１導光板の平面の面積より大きいことを特徴とする請求項１に記載のバックライトアセンブリ。
【請求項９】
　前記第１光反射面部及び前記第２光反射面部の境界領域は傾斜面であり、前記反射板のうちの前記傾斜面に対応するエッジは前記傾斜面に密着されるように、逆方向の傾斜面を有することを特徴とする請求項１に記載のバックライトアセンブリ。
【請求項１０】
　第１光入射面、第１光射出面、前記第１光射出面に対して第１厚さを有する第１光反射面部、前記第１光反射面部と連結され前記第１光射出面に対して第１厚さより薄い第２厚さを有する第２光反射面部を有する第１光反射面を有する第１導光板と、
　前記第１導光板と重なり、第２光入射面、第２光射出面、前記第２光射出面に対して第３厚さを有する第３光反射面部、前記第３光反射面部と連結され前記第２光射出面に対して第３厚さより薄い第４厚さを有する第４光反射面部を有する第２光反射面を有する第２導光板と、
　前記第２光反射面部に配置された第１反射面及び前記第４光反射面部に配置された第２反射面を有する反射板と、
　前記第１光入射面及び第２光入射面に光を供給する光源と、
　を含むことを特徴とするバックライトアセンブリ。
【請求項１１】
　光の供給を受ける第１光入射面、前記第１光入射面に連結される第１光射出面、前記第１光入射面に連結され前記第１光射出面に対して第１厚さを有する第１光反射面部、前記第１光反射面部に前記第１厚さより薄い第２厚さで連結される第２光反射面部とを有する第１光反射面を含む第１導光板と、
　前記第１導光板とオーバーラップされ、前記第１光入射面と一致して前記光の供給を受ける第２光入射面、一部は前記第１光反射面部と密着されその他は前記第２光反射面部と前記第１厚さ及び第２厚さの差に相当するギャップを有して向き合う第２光反射面、及び第３厚さで前記第２光反射面と向き合うように、前記第２光入射面に連結された第２光射出面を有する第２導光板と、
　前記第２光反射面及び前記第２光反射面部間に介在させられた反射板と、
　前記第１光入射面及び前記第２光入射面に前記光を供給するための光源と、
　前記第１光射出面と向き合う第１ディスプレーパネルと、
　前記第２光射出面と向き合う第２ディスプレーパネルと、
　前記第１ディスプレーパネルと前記第２ディスプレーパネルを固定する収納部材と、
　を含むことを特徴とする液晶表示装置。
【請求項１２】
　前記第１ディスプレーパネルの面積は前記第１光射出面の面積と実質的に同一であり、前記第２ディスプレーパネルの面積は前記第２光射出面の面積と実質的に同一であることを特徴とする請求項１１に記載の液晶表示装置。
【請求項１３】
　前記第１ディスプレーパネル及び第１光射出面との間には第１光学部材が配置され、前記第２ディスプレーパネル及び前記第２光射出面との間には第２光学部材が配置されることを特徴とする請求項１１に記載の液晶表示装置。
【請求項１４】
　前記第２導光板は前記第２導光板の前記第２光反射面のうち、前記第１導光板の第１光反射面部と接触される部分には、前記第２光反射面及び前記第１光反射面部を互いに取付けるために突出された少なくとも一つの溶接用突起をさらに含むことを特徴とする請求項１１に記載の液晶表示装置。
【請求項１５】
　前記収納部材は前記第２ディスプレーパネルと前記第１ディスプレーパネルを収納するための収納容器と、前記収納容器に設けられて前記第１ディスプレーパネルを固定するシャーシとを含むことを特徴とする請求項１１に記載の液晶表示装置。
【発明の詳細な説明】
【技術分野】
【０００１】
　本発明はバックライトアセンブリ及びこれを有する液晶表示装置に関するものであり、より詳細には、一つの光源で発生した光を少なくとも２個の導光板に各々供給して互いに反対方向の相異する２個の映像をディスプレーすることを可能にすると同時に、２個の映像をディスプレーする過程で発生する光損失を最少化しかつ構成部品の厚さも減少させたバックライトアセンブリ及びこれを利用した液晶表示装置に関するものである。
【背景技術】
【０００２】
　液晶は固体と液体の中間的な物質特性を有し、電気的には電界により配列角が変更され、光学的には配列角により光透過度が変更される固有の特性を有する。
【０００３】
　液晶表示装置（ＬＣＤ）は、液晶の固有の特性を利用して情報をディスプレーする。
【０００４】
　液晶を利用した最も普遍的な液晶表示装置は、液晶を制御する液晶表示パネルアセンブリと液晶表示パネルアセンブリに光を供給するバックライトアセンブリを有する。
【０００５】
　液晶表示パネルアセンブリは液晶表示パネル及び駆動モジュールにより構成される。液晶表示パネルは数〜数百μｍ2にすぎない単位面積において液晶の配列角を精密に制御し、駆動モジュールは液晶表示パネルを駆動するための駆動シグナルを発生させる。
【０００６】
　バックライトアセンブリは光源、導光板及び光学シート群などにより構成される。
【０００７】
　光源は寿命が長く、製作が容易であり、発熱量が少ない冷陰極線管方式ランプまたは発光ダイオードが使用される。大型液晶表示装置では、主に冷陰極線管方式ランプが使用され、小型液晶表示装置では主に発光ダイオードが使用される。
【０００８】
　導光板は光源から発生した光の光学分布を変更して液晶表示パネルに供給する役割を有する。具体的には、導光板は線光源または点光源形態を有する光を面光源形態に変更させる役割を有する。
【０００９】
　光学シート群は液晶表示パネルアセンブリと導光板との間に設けられる。光学シート群は導光板から射出された光の輝度を一層均一にすると同時に、視野角を調節する役割も共に実施する。
【００１０】
　このような従来の液晶表示装置は、光が導光板−光学シート−液晶表示パネルアセンブリを順次に透過してディスプレーを実施することから、構造上一方向にしかディスプレーを実施することができない。
【００１１】
　最近、このような液晶表示装置の制限を克服して相異する二方向で情報をディスプレーする方法が開示された。
【００１２】
　このような従来液晶表示装置を、“デュアル液晶表示装置”と称する。
【００１３】
　従来のデュアル液晶表示装置は、独自的にディスプレーを実施する２個の液晶表示パネルが重なるように配置され、相異する二つの方向にディスプレーを実施する。
【００１４】
　具体的には、従来のデュアル液晶表示装置は第１液晶表示パネル、第１光源、第１導光板、第１光学シート群、第１反射板及び第１収納容器を有する第１液晶表示装置及び第２液晶表示パネル、第２光源、第２導光板、第２光学シート群、第２反射板及び第２収納容器を有する第２液晶表示装置により構成される。
【００１５】
　第１液晶表示装置は第１方向に映像をディスプレーし、第２液晶表示装置は第２方向に映像をディスプレーする。
【００１６】
　このような、従来のデュアル液晶表示装置は相異する二つの方向に映像をディスプレーすることができるが、体積及び厚さが大きく増加されて外観品質が低下するという問題点を有する。
【発明の開示】
【発明が解決しようとする課題】
【００１７】
　本発明の目的は、一つの光源を利用して相異する二つの方向にディスプレーを実施することにより、部品数減少、体積及び重量を減少させたバックライトアセンブリを提供することにある。
【００１８】
　本発明の他の目的は、一つの光源を利用して相異する二つの方向にディスプレーを実施することにより、部品数減少、体積及び重量を減少させた液晶表示装置を提供することにある。
【課題を解決するための手段】
【００１９】
　上述した目的を達成するための本発明によるバックライトアセンブリは、光の入射を受けるための第１光入射面と、前記第１光入射面に連結される第１光射出面と、前記第１光入射面に連結され前記第１光射出面に対して第１厚さを有する第１光反射面部と、前記第１光反射面部に前記第１厚さより薄い第２厚さで連結される第２光反射面部とを有する第１光反射面を含む第１導光板と、前記第１導光板とオーバーラップされ、前記第１光入射面と一致し前記光の入射を受けるための第２光入射面と、一部は前記第１光反射面部と密着されその他は前記第２光反射面部と前記第１厚さ及び第２厚さの差に相当するギャップを有して向き合う第２光反射面及び第３厚さで前記第２光反射面と向き合うように、前記第２光入射面に連結された第２光射出面とを有する第２導光板と、前記第２光反射面を覆うように前記第２光反射面及び前記第２光反射面部間に介在させられた反射板と、前記第１光入射面及び前記第２光入射面に前記光を供給する光源とを含む。
【００２０】
　上述した他の目的を達成するための本発明による液晶表示装置は、光の供給を受ける第１光入射面と、前記第１光入射面に連結される第１光射出面と、前記第１光入射面に連結され前記第１光射出面に対して第１厚さを有する第１光反射面部と、前記第１光反射面部に前記第１厚さより薄い第２厚さで連結される第２光反射面部とを有する第１光反射面を含む第１導光板と、前記第１導光板とオーバーラップされ、前記第１光入射面と一致し前記光の供給を受ける第２光入射面と、一部は前記第１光反射面部と密着されその他は前記第２光反射面部と前記第１厚さ及び第２厚さの差に相当するギャップを有して向き合う第２光反射面及び第３厚さで前記第２光反射面と向き合うように、前記第２光入射面に連結された第２光射出面とを有する第２導光板と、前記第２光反射面及び前記第２光反射面部間に介在させられた反射板と、前記第１光入射面及び前記第２光入射面に前記光を供給するための光源と、前記第１光射出面と向き合う第１ディスプレーパネルと、前記第２光射出面と向き合う第２ディスプレーパネルと、前記第１ディスプレーパネルと前記第２ディスプレーパネルを固定する収納部材とを含む。
【００２１】
　本発明によると、一つの光源で発生した光を二つの導光板を利用して相異する二つの方向に分割し、相異する二つの方向に相異する二つの映像をディスプレーすることができ、また反射板による光損失を最少化して高品質ディスプレーを実施することができるという長所を有する。
【発明を実施するための最良の形態】
【００２２】
　以下、図面を参照して本発明の望ましい実施形態をより詳細に説明する。
【実施例１】
【００２３】
　図１は本発明の第１実施形態によるバックライトアセンブリの斜視図である。
【００２４】
　図１に示すように、バックライトアセンブリ１００は、光源１１０、第１導光板１２０、第２導光板１３０及び反射板１４０を含む。
【００２５】
　選択的にバックライトアセンブリ１００には、第１導光板１２０、第２導光板１３０、反射板１４０及び光源１１０が収納される収納容器１５０をさらに含むことができる。
【００２６】
　光源１１０は放射状に第１光を発生させる。図１で光源１１０は一実施形態として点光源である発光ダイオードである。他の実施形態として光源１１０は線光源である冷陰極線管方式ランプが使用されることができる。
【００２７】
　図２は図１のII−II断面図である。
【００２８】
　図２に示すように、第１導光板１２０は直六面体プレートに近似する立体形状を有する。具体的には、第１導光板１２０は３個以上の側面で連結され、相互に向き合う２個の面により構成される。望ましく、第１導光板１２０は４個の側面を有する。
【００２９】
　ここで、光源１１０は４個の側面のうちのいずれか一つ以上に第１光１６０を供給する。以下、光源１１０から第１光１６０が供給される側面を第１光入射面１２１と称する。
【００３０】
　光源１１０で発生した第１光１６０は、第１光入射面１２１を通過する間屈折する。これは、第１導光板１２０の屈折率が空気の屈折率と異なるためである。以下、第１光１６０のうち、第１光入射面１２１を通過した光を第２光１６２と称する。
【００３１】
　第１光反射面１２３は第２光１６２を後述する第１光射出面側に反射させる。
【００３２】
　ここで、第１光反射面１２３は第１光反射面部１２３ａ及び第２光反射面部１２３ｂにより構成される。第１光反射面１２３は第１幅Ｗ１及び第１長さＬ１を有する。
【００３３】
　第１光反射面部１２３ａは第１光入射面１２１から第１光入射面１２１の反対側に第１幅Ｗ１及び第１長さＬ１より小さい第２長さＬ２を有する。
【００３４】
　第２光反射面部１２３ｂは第１光反射面部１２３ａと連結され、第１光反射面部１２３ａの反対側で第１長さＬ１から第２長さＬ２を引いた長さより若干短い第３長さＬ３を有する。第２光反射面部１２３ｂは第１光反射面部１２３ａと平行であり、相異する高さを有する。
【００３５】
　ここで、第１光反射面部１２３ａ及び第２光反射面部１２３ｂは傾斜面１２３ｃにより連結される。この時、傾斜面１２３ｃの長さの水平方向成分は第１長さＬ１から第２長さＬ２及び第３長さＬ３を引いた長さと同一である。
【００３６】
　ここで、傾斜面１２３ｃのうちの第１光反射面部１２３ａと接する部分及び第２光反射面部１２３ｂと接する部分は滑らかな曲線で形成することができる。これはそうしないと傾斜面１２３ｃにより第１導光板１２０に不連続的な輝線が発生する可能性があるためである。
【００３７】
　第１光射出面１２５は第１光反射面１２３の第１光反射面部１２３ａ及び第２光反射面部１２３ｂから反射された第２光１６２が射出されるようにする。第１光射出面１２５から射出された光は第２光１６２と異なる角度で進行するので、第３光１６４と称する。
【００３８】
　第１光射出面１２５は第１光反射面部１２３ａと第２光反射面部１２３ｂとに平行である。ここで、第１光射出面１２５と第１光反射面部１２３ａは第１厚さＴ１を有し、第１光射出面１２５と第２光反射面部１２３ｂは第２厚さＴ２を有する。第２厚さＴ２は第１厚さＴ１より薄い。
【００３９】
　図３は図１のIII−III断面図である。
【００４０】
　図１に示すように、第２導光板１３０は第１導光板１２０と重なる。第２導光板１３０は第１導光板１２０と似ている形であるが、第１幅Ｗ１より広い第２幅Ｗ２及び第１長さＬ１より長い第４長さＬ４を有する。
【００４１】
　第２導光板１３０は第２光入射面１３１、第２光反射面１３５及び第２光射出面１３３により構成される。
【００４２】
　第２光入射面１３１は第１導光板１２０の第１光入射面１２１と整合して配置される。第２光入射面１３１へは光源１１０で発生した第１光１６０の一部が入射する。以下、第２光入射面１３１に入射した第１光１６０を第４光１６６と称する。
【００４３】
　第２光入射面１３１に接合する第２光反射面１３５は第１導光板１２０の第１光反射面部１２３ａ及び第２光反射面部１２３ｂと向き合う。第２光反射面１３５は第４光１６６を反射させ、後述される第２光射出面１３３側に向かうようにする。
【００４４】
　図４は本発明の第１実施形態により第１導光板及び第２導光板が結合されたことを示した断面図である。
【００４５】
　図４に示すように、第２光反射面１３５と第１光反射面部１２３ａは直接接触し、第２光反射面１３５と第２光反射面部１２３ｂとの間にはギャップＧが形成される。ここで、ギャップＧは第１光反射面部１２３ａ及び第２光反射面部１２３ｂの高さの差異に対応して形成される。
【００４６】
　図３に示すように、第２光反射面１３５で反射された第４光１６６は第２光射出面１３３に向かう。以下、第２光射出面１３３から射出された光を第５光１６８と称する。第２光射出面１３３は第２光反射面１３５と向き合う関係を有する。第２光射出面１３３と第２光反射面１３５は全体的に均一な第３厚さＴ３を有する。第２導光板１３０の第３厚さＴ３は第１導光板１２０の第１厚さＴ１と同じあるいはそれより厚い。
【００４７】
　図５は本発明の第１実施形態による第１導光板、第２導光板及び反射板を示す断面図である。
【００４８】
　図１または図５に示すように、反射板１４０は第１導光板１２０及び第２導光板１３０の間に介在させられる。反射板１４０の厚さは第２光反射面部１２３ｂ及び第２光反射面１３５間のギャップと同一である。
【００４９】
　また、反射板１４０のエッジのうちの第１導光板１２０の傾斜面１２３ｃと向き合うエッジは傾斜面１２３ｃと密着されるようにするために、逆傾斜面１４１を有する。
【００５０】
　一方、第１導光板１２０及び第２導光板１３０は取付部材により互いに取付けられる。これは第１導光板１２０及び第２導光板１３０の相対的な動きを防止するためのものである。
【００５１】
　図６は本発明の第１実施形態において第１導光板及び第２導光板を取付けるための１つの手法を示したＡ部拡大図である。
【００５２】
　図６に示すように、第１導光板１２０の第１光反射面部１２３ａ及び第１光反射面部１２３ａと向き合う第２導光板１３０の第２光反射面１３５の間には両面接着テープ１６０が介在させられる。両面接着テープ１６０は、透明なベースフィルム１６１、及びベースフィルム１６１の両側面に塗布された接着層１６２、１６３により構成される。
【００５３】
　図７は本発明の第１実施形態において第１導光板及び第２導光板を取付けるための他の手法を示したＡ部拡大図である。
【００５４】
　図７に示すように、第１導光板１２０の第１光反射面部１２３ａ及び第１光反射面部１２３ａと向き合う第２導光板１３０の第２光反射面１３５間には薄い厚さを有する接着層１７０が塗布される。接着層１７０は第１導光板１２０及び第２導光板１３０を相互に取付ける。
【００５５】
　図８は本発明の第１実施形態において第１導光板及び第２導光板を取付けるためのさらに他の手法を示したＡ部拡大図である。
【００５６】
　図８に示すように、第２導光板１３０の第２光反射面１３５には、少なくとも１個の取付突起１３５ａが形成される。第１導光板１２０の第１光反射面部１２３ａと第２導光板１３０の第２光反射面１３５に形成された取付突起１３５ａを接触させた状態で取付突起１３５ａには超音波または熱が加えられることにより、取付突起１３５ａは熔融され、熔融された取付突起１３５ａは第１導光板１２０の第１光反射面部１２３ａ及び第２導光板１３０の第２光反射面１３５に熔着しこれらが相互に取付けられるようにする。ここで、取付突起１３５ａは第１光反射面部１２３ａ及び第２光反射面１３５との間にゼロか、あっても最少のギャップしか残さないようにすることが望ましい。
【００５７】
　図９は本発明の第１実施形態において第１導光板及び第２導光板を取付けるためのさらに他の手法を示した断面図である。
【００５８】
　図９に示すように、第１導光板１２０及び第２導光板１３０が重なった状態で、第１導光板１２０及び第２導光板１３０の一部を透明なクリップ１８０などにより直接固定してもよい。より具体的には、クリップ１８０の一部は、第１導光板１２０の第１光射出面１２５を加圧し、クリップ１８０のその他は第２導光板１３０の第２光射出面１３３を加圧する。
【００５９】
　このような構成及び結合関係を有する第１導光板１２０、反射板１４０、第２導光板１３０及び光源１１０は、図１に示した収納容器１５０に収納結合されることによりバックライトアセンブリ１００が製造される。
【００６０】
　収納容器１５０は第１導光板１２０及び第２導光板１３０の側壁を取り囲み、第１導光板１２０の第１光射出面１２５及び第２導光板１３０の第２光射出面１３３は外部に対して露出されるように開口させる。
【００６１】
　また、光源１１０は第１光入射面１２１及び第２光入射面１３１と向き合うように収納容器１５０に設けられる。
【実施例２】
【００６２】
　図１０は本発明の第２実施形態によるバックライトアセンブリの断面図である。尚この実施例では第１実施例と対応する要素及び部位については同じ符号を用いている。
【００６３】
　図１０に示すように、バックライトアセンブリ１００は反射板１４０、第１導光板１２０、第２導光板１３０、光源１１０及び収納容器１５０を含む。
【００６４】
　反射板１４０は所定の厚さを有するプレート形状を有する。プレート形状を有する反射板１４０は反射率が高い材質または反射率が高い物質が両面にコーティングされたもので製作される。
【００６５】
　反射板１４０は２個の反射面１４３、１４４を有する。２個の反射面のうちの一つは第１反射面１４３であり、その他の一つは第２反射面１４４である。
【００６６】
　第１導光板１２０は第１反射面１４３と向き合うように配置され、第２導光板１３０は第２反射面１４４と向き合うように配置される。
【００６７】
　第１導光板１２０は第１光入射面１２１、第１光反射面部１２３ａ及び第２光反射面部１２３ｂにより構成された第１光反射面１２３及び第１光反射面１２３と向き合う第１光射出面１２５により構成される。符号１２３ｃは第１光反射面部１２３ａ及び第２光反射面部１２３ｂの境界領域である。境界領域は滑らかな曲線または傾斜面で形成される。
【００６８】
　ここで、第１光反射面部１２３ａ及び第１光射出面１２５との間の第１厚さＴ１及び第２光反射面部１２３ｂ及び第１光射出面１２５の第２厚さＴ２は相異する。望ましくは、第１厚さＴ１が第２厚さＴ２より厚い。
【００６９】
　反射板１４０の第１反射面１４３は第２光反射面部１２３ｂに配置される。これは反射板１４０と第１導光板１２０をオーバーラップさせ、バックライトアセンブリ１００の全体的な厚さを減少させるためのものである。
【００７０】
　一方、第２導光板１３０は第２光入射面１３１、第３光反射面部１３５ａ及び第４光反射面部１３５ｂにより構成された第２光反射面１３５及び第２光反射面１３５と向き合う第２光射出面１３３により構成される。符号１３５ｃは、第３光反射面部１３５ａ及び第４光反射面部１３５ｂの間の境界領域である。
【００７１】
　ここで、第３光反射面部１３５ａ及び第２光射出面１３３の第３厚さＴ３及び第４光反射面部１３５ｂ及び第２光射出面１３３の第４厚さＴ４は相異する。望ましくは、第３厚さＴ３が第４厚さＴ４より厚い。
【００７２】
　反射板１４０の第２反射面１４４は第４光反射面部１３５ｂに配置される。これは反射板１４０と第２導光板１３０をオーバーラップさせ、バックライトアセンブリ１００の全体的な厚さを減少させるためのものである。
【００７３】
　これにより、反射板１４０は第１導光板１２０及び第２導光板１３０との間に介在させられる。
【００７４】
　このような構成及び結合関係を有する第１導光板１２０、反射板１４０、第２導光板１３０及び光源１１０は図１０に示した収納容器１５０内に収納結合されることにより、バックライトアセンブリ１００が製造される。
【００７５】
　収納容器１５０は第１導光板１２０及び第２導光板１３０の側壁を取り囲み、第１導光板１２０の第１光射出面１２５及び第２導光板１３０の第２光射出面１３３は外部に対して露出されるように開口させる。
【００７６】
　また、光源１１０は第１光入射面１２１及び第２光入射面１３１と向き合うように収納容器１５０に設けられる。
【実施例３】
【００７７】
　図１１は本発明による液晶表示装置の分解斜視図である。図１２は図１１を組立てた後のＢ−Ｂ断面線に沿って切断した断面図である。
【００７８】
　図１１または図１２に示すように、液晶表示装置９００は光源８００、バックライトアセンブリ１００、光学シート群２００、３００、第１ディスプレーパネル４００、第２ディスプレーパネル５００及び収納容器６００、７００を含む。
【００７９】
　光源８００は放射状に光を発生させる。光源８００は線光源である冷陰極線管方式ランプまたは点光源である発光ダイオードなどが使用されることができる。
【００８０】
　バックライトアセンブリ１００は、第１導光板１２０、第２導光板１３０及び反射板１４０により構成される。
【００８１】
　バックライトアセンブリ１００は、前述した第１実施形態または第２実施形態に示したものと同じ構成を有するので、その重複された説明は省略する。以下、前述したバックライトアセンブリ１００と同様の構成要素については、同じ名称及び同じ符号を使用する。
【００８２】
　第１ディスプレーモジュール４００は第１導光板１２０の第１光射出面１２５と向き合うように設けられる。第１ディスプレーモジュール４００の平面領域は第１光射出面１２５の平面領域に対応する。
【００８３】
　第１ディスプレーモジュール４００は、液晶と液晶を通過する光によりディスプレーを実施する任意の構成とすることができる。
【００８４】
　望ましい形態として、第１ディスプレーモジュール４００は第１カラーフィルタ基板４１０、第１ＴＦＴ基板４３０及び前記第１カラーフィルタ基板４１０及び第１ＴＦＴ基板４３０間に介在する第１液晶４２０により構成される。
【００８５】
　第２ディスプレーモジュール５００は第２カラーフィルタ基板５２０、第２ＴＦＴ基板５１０及び前記第２カラーフィルタ基板５２０及び第２ＴＦＴ基板５１０間に介在する第２液晶５３０により構成される。第２ディスプレーモジュール５００は第２導光板１３０の第２光射出面１３３と向き合うように設けられる。第２ディスプレーモジュール５００の平面領域は第２光射出面１３３の平面領域に対応する。ここで、第２光射出面１３３の面積は第１光射出面１２５の面積より大きいので、第２ディスプレーモジュール５００の平面の面積は第１ディスプレーモジュール４００の平面の面積より広い。
【００８６】
　光学シート群は、第１光学シート群２００及び第２光学シート群３００により構成される。
【００８７】
　第１光学シート群２００は第１ディスプレーモジュール４００及び第１導光板１２０の間に設けられ、第２光学シート群３００は第２ディスプレーモジュール５００及び第２導光板１３０の間に形成される。
【００８８】
　第１光学シート群２００及び第２光学シート群３００は、光の効率を向上させるために用いられるもので、「群」との用語で複数のシートを用いる例を示したが、一枚の光学シートの場合もあり得る。望ましく、第１光学シート群２００及び第２光学シート群３００は拡散シートとプリズムシートを含む。第１光学シート群２００及び第２光学シート群３００には拡散シート、プリズムシート以外にも輝度強化フィルムなどがさらに使用されることができる。
【００８９】
　このような構成を有する第１ディスプレーモジュール４００、光学シート群２００、３００、バックライトアセンブリ１００及び第２ディスプレーモジュール５００は収納容器６００、７００に収納される。
【００９０】
　収納容器は、トップシャーシ６００及びボトムモールド７００により構成される。
【００９１】
　ボトムモールド７００は第２導光板１３０の四つの側面が収納されることができる程度の大きさを有する四角フレーム形状を有する。
【００９２】
　ボトムモールド７００は側面を取り囲むように構成され、第２ディスプレーモジュール５００、光学シート群２００、３００、バックライトアセンブリ１００及び第１ディスプレーモジュール４００が収納されるようにする。ボトムモールド７００には第２ディスプレーモジュール５００が係合してそれに固定される固定リブ７１０が形成されている。また、ボトムモールド７００のうちの第１導光板１２０の第１光入射面１２１及び第２導光板１３０の第２光入射面１３１と向き合う側壁には光源８００が収納されるための光源収納溝７２０が形成される。
【００９３】
　トップシャーシ６００はボトムモールド７００と結合されボトムモールド７００から第１ディスプレーモジュール４００が離脱されないようにする。
【００９４】
　トップシャーシ６００には第１ディスプレーモジュール４００から映像がディスプレーされることができるように開口部６１０が形成される。
【００９５】
　以下、液晶表示装置の組立方法を説明する。
【００９６】
　まず、ボトムモールド７００の固定リブ７１０には、映像がディスプレーされる第２ディスプレーモジュール５００の前面が定着され固定される。ボトムモールド７００に第１ディスプレーモジュール４００が固定された状態で第２ディスプレーモジュール５００の前面と向き合う後面には第２光学シート群３００が定着される。
【００９７】
　ボトムモールド７００に第２光学シート群３００が定着された状態で第２光学シート群３００の上面には相互に結合された第１導光板１２０、反射板１４０及び第２導光板１３０が結合される。この時、第２導光板１３０の第２光射出面１３３は第２光学シート群３００と向き合うようにボトムモールド７００に結合される。
【００９８】
　第１導光板１２０には、第１光学シート群２００が密着される。第１光学シート群２００の上面には第１ディスプレーモジュール４００が定着される。
【００９９】
　ボトムモールド７００に第２ディスプレーモジュール５００から第１ディスプレーモジュール４００までが順に定着された状態で、第１ディスプレーモジュール４００にはトップシャーシ６００が結合される。トップシャーシ６００は第１ディスプレーモジュール４００のエッジを加圧しながらボトムモールド７００に結合される。
【０１００】
　以上、本発明の実施例によって詳細に説明したが、本発明はこれに限定されず、本発明が属する技術分野において通常の知識を有するものであれば本発明の思想と　精神を離れることなく、本発明を修正または変更できるであろう。
【０１０１】
　本発明によると、一つの光源で発生した光を二つ方向に両分する二つの導光板の間に形成された反射板による光損失を最少化して光効率を向上させ、二つの導光板の全体厚さを最少化するなど、多様な効果を有する。
【産業上の利用可能性】
【０１０２】
　本発明は、２つの異なる方向に像を表示する形式の液晶表示装置の製造に応用することができる。
【図面の簡単な説明】
【０１０３】
【図１】本発明の第１実施形態によるバックライトアセンブリの斜視図である。
【図２】図１のII−II断面図である。
【図３】図１のIII−III断面図である。
【図４】本発明の第１実施形態において第１導光板及び第２導光板が結合された状態を示した断面図である。
【図５】本発明の第１実施形態における第１導光板、第２導光板及び反射板を示した断面図である。
【図６】本発明の第１実施形態において第１導光板及び第２導光板を取付ける１つの手法を示したＡ部拡大図である。
【図７】本発明の第１実施形態においてより第１導光板及び第２導光板を取付ける他の手法を示したＡ部拡大図である。
【図８】本発明の第１実施形態において第１導光板及び第２導光板を取付けるさらに他の手法を示したＡ部拡大図である。
【図９】本発明の第１実施形態において第１導光板及び第２導光板を取付けるさらに他の手法を示した断面図である。
【図１０】本発明の第２実施形態によるバックライトアセンブリの断面図である。
【図１１】本発明による液晶表示装置の分解斜視図である。
【図１２】図１１の液晶表示装置を組立てた後のＢ−Ｂ断面線に沿って切断した断面図である。
【符号の説明】
【０１０４】
１００　　バックライトアセンブリ
１１０　　光源
１２０　　第１導光板
１２１　　第１光入射面
１２３　　第１光反射面
１２５　　第１光射出面
１３０　　第２導光板
１３１　　第２光入射面
１３３　　第２光射出面
１３５　　第２光反射面
１４０　　反射板
１５０　　収納容器
１６０　　両面接着テープ
１６１　　ベースフィルム
１６２　　第２光
１６４　　第３光
１６６　　第４光
１６８　　第５光
１７０　　接着層
２００　　第１光学シート群
３００　　第２光学シート群
４００　　第１ディスプレーパネル
５００　　第２ディスプレーパネル
６００　　トップシャーシ
７００　　ボトムモールド
８００　　光源
９００　　液晶表示装置
【図１】
2004119369.tif 000003
【図２】
2004119369.tif 000004
【図３】
2004119369.tif 000005
【図４】
2004119369.tif 000006
【図５】
2004119369.tif 000007
【図６】
2004119369.tif 000008
【図７】
2004119369.tif 000009
【図８】
2004119369.tif 000010
【図９】
2004119369.tif 000011
【図１０】
2004119369.tif 000012
【図１１】
2004119369.tif 000013
【図１２】
2004119369.tif 000014